(57)【特許請求の範囲】
【請求項１】
刺繍用基布を張設するための枠本体を主要部材として成る刺繍用枠において、
前記枠本体には断面凹状の受入溝が、枠本体に沿って巡回状に形成されて成り、
この受入溝には、弾性を有する押さえ部材が、枠本体に被せられた刺繍用基布とともに嵌め込まれて、刺繍用基布が枠本体に張設されるものであり、
且つ、当該受入溝は、複数のパートを周回状もしくは循環状に接続して成るものであり、各パートの接続部において、受入溝が枠外へと貫通するように形成されることを特徴とする刺繍用枠。
【請求項２】
前記受入溝は、枠本体の上面に形成されることを特徴とする請求項１記載の刺繍用枠。
【請求項３】
前記受入溝が屈曲部を有する場合には、この屈曲部にＲ加工を施したコーナＲが形成されることを特徴とする請求項１または２記載の刺繍用枠。
【請求項４】
前記枠本体には、刺繍用基布を張設したのち外部に露見する押さえ部材を覆い隠す飾り縁が被せられることを特徴とする請求項１、２または３記載の刺繍用枠。
【請求項５】
前記枠本体には、枠本体に張設された刺繍用基布を適宜の高さや姿勢に維持する支持脚が設けられることを特徴とする請求項１、２、３または４記載の刺繍用枠。
【発明の詳細な説明】
【技術分野】
【０００１】
本発明は、布（刺繍用基布）に刺繍を行うにあたり事前に刺繍用基布を弛みなく張る（いわゆる「ピンと張る」）ための刺繍用枠に関するものである。
【背景技術】
【０００２】
刺繍を行うためには事前に刺繍用基布を刺繍用枠や刺繍用台に弛みなく張設するものであり、このような刺繍用枠としては、従来、例えば二重円環（二重リング）の間に刺繍用基布を挟み込んで張設するものがあり、これは外側の円環（リング）をネジ等で締め付けて径サイズを縮め、刺繍用基布を二重リングの間で強く挟み込むようにしたものである（例えば特許文献１参照）。
また、他の手法としては、例えば展開状態で矩形状を成す刺繍用基布を張設するには、刺繍用基布の前後両端を棒部材に巻き付けておき、これを相互に引っ張るように設置するとともに、刺繍用基布の左右両端縁に、ほぼ等間隔に糸を掛けて、結果的に刺繍用基布を四方から均等に引っ張るようにしたものもある（例えば特許文献２参照）。
更に他の手法としては、刺繍用基布を張設する枠の全周に凸状の突起を一周設けておき、枠に刺繍用基布を被せた後、この突起の上方から刺繍用基布の端縁をクリップで挟み込んで張設するものもある（例えば特許文献３参照）。
【０００３】
しかしながら、このような従来手法にあっては、以下のような問題点があった。
まず上記特許文献１・３による手法では、張設時に刺繍用基布を枠に強固に張設しても、刺繍を行っている間に、この張設力が次第に弱まり、作業中に刺繍用基布が弛んでくるという問題が払拭できなかった。
また、例えば上記特許文献２による手法では、このような問題、つまり刺繍作業中に刺繍用基布が弛んでしまうことは抑制できても、特許文献２による張設手法は、極めて大掛かりであり、刺繍用基布を全体的に均一に張るには相応の手間が掛かったり、熟練を要したりするという問題があった。
このようなことから、刺繍用基布を枠に張設するにあたっては、極めて簡単な手法でありながらも強固に張設することができ、しかもこの張設力が刺繍作業中も継続して維持できる新たな手法が求められていた。
【先行技術文献】
【特許文献】
【０００４】
【特許文献１】実用新案出願公告第８６２４号公報
【特許文献２】実用新案出願公告第１０６８１号公報
【特許文献３】特開昭６３−１８２４６５号公報
【発明の概要】
【発明が解決しようとする課題】
【０００５】
本発明は、このような背景を認識してなされたものであって、容易な取り付け作業でありながら刺繍用基布を全体的に均一に且つ強固に張ることができ、また刺繍作業中もこの強固な張設力が継続して維持できる新規な刺繍用枠の開発を試みたものである。
【課題を解決するための手段】
【０００６】
すなわち請求項１記載の刺繍用枠は、
刺繍用基布を張設するための枠本体を主要部材として成る刺繍用枠において、
前記枠本体には断面凹状の受入溝が、枠本体に沿って巡回状に形成されて成り、
この受入溝には、弾性を有する押さえ部材が、枠本体に被せられた刺繍用基布とともに嵌め込まれて、刺繍用基布が枠本体に張設されるものであり、
且つ、当該受入溝は、複数のパートを周回状もしくは循環状に接続して成るものであり、各パートの接続部において、受入溝が枠外へと貫通するように形成されることを特徴として成るものである。
【０００７】
また請求項２記載の刺繍用枠は、前記請求項１記載の要件に加え、
前記受入溝は、枠本体の上面に形成されることを特徴として成るものである。
【０００８】
また請求項３記載の刺繍用枠は、前記請求項１または２記載の要件に加え、
前記受入溝が屈曲部を有する場合には、この屈曲部にＲ加工を施したコーナＲが形成されることを特徴として成るものである。
【０００９】
また請求項４記載の刺繍用枠は、前記請求項１、２または３記載の要件に加え、
前記枠本体には、刺繍用基布を張設したのち外部に露見する押さえ部材を覆い隠す飾り縁が被せられることを特徴として成るものである。
【００１０】
また請求項５記載の刺繍用枠は、前記請求項１、２、３または４記載の要件に加え、
前記枠本体には、枠本体に張設された刺繍用基布を適宜の高さや姿勢に維持する支持脚が設けられることを特徴として成るものである。
【発明の効果】
【００１１】
これら各請求項記載の発明の構成を手段として前記課題の解決が図られる。
まず請求項１記載の発明によれば、刺繍用基布を枠本体に張設するには、あたかも網戸の網を張り替えるときのように、枠本体に沿って巡回状に形成された受入溝に、弾性を有する押さえ部材を嵌め込んで行くため、刺繍用基布の張設が確実に且つ容易に行える。
また本発明によれば、枠本体に形成される受入溝は、複数のパート（直線状または曲線状の辺）を周回状または循環状に接続して成り、なお且つ各パートの接続部においては受入溝が枠外（例えば二方向）に貫通する枠外開放部を有するように形成されるため、例えばパートと同数の押さえ部材を用いるとともに、該押さえ部材の嵌め込み開始端及び終了端を枠外開放部に折り返し状に収めることで、刺繍用基布を枠本体に均一に且つ強固に張設することができ、しかもその張設作業が極めて容易に行えるものである。
もちろん枠外開放部は偏平状に形成することも可能であり、またこのような枠外開放部に押さえ部材を途切れさせずに一続きとなって回り込ませる場合には（収容する場合には）、当該部位に押さえ部材を曲げながら（変形させながら）溝内に押し込む作業が、比較的、力の弱い女性でも容易に行い得るものである。
【００１２】
また請求項２記載の発明によれば、押さえ部材を収容する受入溝が枠本体の上面に形成されるため、刺繍用基布を枠本体に張設する作業が極めて安定した状態で行える。すなわち刺繍用基布を枠本体に張設する際には、例えば枠本体を床面に置く等、安定した状態で嵌め込み作業を行うことができ、また押さえ部材を嵌め込む方向も、載置した枠本体の上方から行えるため（重力方向に力が掛けられるため）、嵌め込み作業がより確実に且つ容易に行えるものである。
【００１３】
また請求項３記載の発明によれば、受入溝が屈曲部を有する場合、この屈曲部の上面部分にコーナＲが形成されるため、当該部分に押さえ部材を曲げながら嵌め込む作業が極めて行い易いものとなる。
【００１４】
また請求項４記載の発明によれば、枠本体に飾り縁を取り付けることにより、刺繍用基布を張設した状態で外部に露見する押さえ部材を隠蔽するため、刺繍用基布を張設した枠本体（刺繍用枠）を刺繍の完成作品としてそのまま展示に利用することができ合理的である。
【００１５】
また請求項５記載の発明によれば、枠本体に張設された刺繍用基布を適宜の高さや姿勢に維持する支持脚が設けられるため、刺繍を行う作業者の作業性向上に寄与する。すなわち支持脚によって刺繍用基布を適宜の高さや姿勢に維持すれば、刺繍用基布の下方から光を採り込み易く、刺繍を行う際に刺繍用基布に刺す針の位置が見易くなるものである。
また、このような支持脚は展示にも利用することができ、例えば支持脚の一部に小径部を形成しておき、ここを展示室壁面に固定した断面Ｌ字状のアングル材などに引っ掛けて作品（刺繍を終えた刺繍用基布）を固定すれば、作品の数が多くても均一に角度が揃えられ、多数の作品展示が極めて容易に行えるものである。
【図面の簡単な説明】
【００１６】
【図１】刺繍用基布を枠本体に張設した状態で描いた、本発明の刺繍用枠の一例を示す斜視図である。
【図２】刺繍用枠の主要部材である枠本体の一例を示す斜視図（ａ）、並びに上面から視た平面図（ｂ）である。
【図３】二本の押さえ部材を用いて、刺繍用基布を枠本体に張設して行く様子（初期段階）を示す二種の平面図（ａ）・（ａ′）である。
【図４】刺繍用基布を枠本体に張設して行く様子を段階的に示す平面図（ａ）・（ｂ）である。
【図５】刺繍用基布を枠本体に張設して行く様子（最終段階）を示す平面図（ａ）、並びに四本の押さえ部材を用いて刺繍用基布を枠本体に張設した場合を示す平面図（ｂ）である。
【図６】縦枠及び横枠の接続部（四隅）を枠外に突出させ、枠本体を井桁状に組むようにした実施例を示す平面図である。
【図７】縦枠と横枠との接続部で、受入溝を枠外まで貫通させないようにした参考例（本発明に関連する参考例）を示す平面図（枠本体の平面図）、並びに該接続部で縦枠に形成された受入溝（縦溝）のみを枠外まで貫通させるようにした実施例（本発明の改変例）を部分的に併せ示す説明図である。
【図８】枠本体を円環状に形成しながらも受入溝を複数のパート（辺）に分けて形成し、その接続部において受入溝を枠外二方向に貫通させるようにした実施例を示す平面図（ａ）、並びにこの枠本体に対し二本の押さえ部材を用いて刺繍用基布を張設するようにした一実施例を示す平面図（ｂ）、並びにこの枠本体に対し四本の押さえ部材を用いて刺繍用基布を張設するようにした他の実施例を示す平面図（ｃ）である。
【図９】枠本体が正九角形の環状である場合に、各辺（パート）に押さえ部材を嵌め込んで行く一実施例（好ましい嵌め込み順序の一例）を示す平面図である。
【図１０】押さえ部材を最初に受入溝に嵌め込むにあたり、枠本体に被せた刺繍用基布の端縁がずれないように刺繍用基布を位置決めする仮押さえ部を具えた枠本体を示す断面図である。
【図１１】枠本体の外側面部分に受入溝を巡回状に形成するようにした実施例を示す枠本体の斜視図である。
【図１２】枠本体を複数用意する場合、枠本体の大きさを異なるサイズに形成し、入れ子状に収容できるようにした実施例を示す斜視図である。
【図１３】巡回部のコーナ部（枠本体の接続部）に偏平状の枠外開放部を形成した枠本体を示す平面図（ａ）、並びにこの枠外開放部を示す二種の斜視図（ｂ）・（ｃ）である。
【図１４】枠本体に設ける支持脚の種々のパターンを示す説明図（ａ）〜（ｅ）である。
【図１５】押さえ部材を枠本体の受入溝に嵌め込む際に使用する嵌め込み器具を示す側面図である。
【発明を実施するための形態】
【００１７】
本発明を実施するための形態は、以下の実施例に述べるものをその一つとするとともに、更にその技術思想内において改良し得る種々の手法を含むものである。
【実施例】
【００１８】
本発明の刺繍用枠１は、一例として図１・２に示すように、刺繍用基布Ｃを全体的に弛みなく均一に張設する（いわゆる「ピンと張る」）ための枠本体１０を主要部材として成るものであり、枠本体１０に張設された刺繍用基布Ｃの内側（枠本体１０の内側開口部）が刺繍を行う部位（領域）となる。
以下、枠本体１０について説明する。枠本体１０は、本実施例では平面から視て矩形環状を成すように形成され、縦枠１１と横枠１２とを二本ずつ組み合わせて成るものであり、この組み合わせ部を接続部１０Ｊとする。もちろん枠本体１０は、必ずしも矩形環状に形成される必要はなく、円環状や楕円環状等でも構わない。
なお、本実施例では、枠本体１０の内側開口部を半分にした場合（横枠１２を半分の長さにした場合）に、縦と横の辺の比が黄金比になるように形成されている。
【００１９】
ここで上記縦枠１１と横枠１２の「縦」と「横」についての区別であるが、これには明確な基準はなく、対向する一組の辺同士を「縦」とした場合、これにほぼ直交する他の辺同士が「横」となり、言わば便宜上の区別である。因みに、縦枠１１を更に左右で区別したい場合には、図２（ｂ）に示すように、（向かって）左側のものを左辺１１Ｌ、右側のものを右辺１１Ｒとする。また横枠１２を更に上下で区別したい場合には、上側のものを上辺１２Ｕ、下側のものを下辺１２Ｄとして区別する。
なお、枠本体１０（縦枠１１及び横枠１２）は一例として木製であり、これは刺繍を行う作業者が直接、刺繍用枠１（枠本体１０）に触れるため、作業者が木のぬくもりや自然の優しさをより実感できるようにするためである。しかし、刺繍用枠１（枠本体１０）の主たる機能は、刺繍用基布Ｃを弛みなく均一に張ることであるため、この点では枠本体１０の素材として、金属や合成樹脂など他の素材も適用できるものである。
【００２０】
また本発明では、このような枠本体１０に刺繍用基布Ｃを張設するにあたり、事前に枠本体１０に対し、この枠に沿う受入溝２０を巡回状（周回状）に形成しておき（特に本実施例では、刺繍を行う作業者の対向正面となる枠本体上面に形成）、ここに弾性を有する押さえ部材３０を、刺繍用基布Ｃの端縁を噛み込むように嵌め込んで、刺繍用基布Ｃを枠本体１０に張設（固定）するものである。ここで押さえ部材３０としては、例えば網戸を張り替える際に用いられる押さえゴムが一般に用いられるものであり、このものは中央部に孔が開口された円形断面であり、断面中央部の孔はゴムの長手方向に連続して開口されている。またゴムの外周面長手方向には、小さい突起が幾筋も形成されているのが一般的である。
また受入溝２０も、上述したように枠本体１０に沿って一周、輪を描くように閉ループ状に形成されるが（この部分を巡回部２０Ｓとする）、本実施例では縦枠１１と横枠１２との接続部１０Ｊにおいて、受入溝２０が二方向で枠外まで貫通するように（通じるように）形成される。ここで枠外に貫通するように（通じるように）形成された部位を枠外開放部２０Ｐとする。すなわち本実施例では、上記図２（ｂ）に示すように、縦枠１１と横枠１２との接続部１０Ｊで、受入溝２０がそのまま枠外まで至るように、言わば十字状を成すように形成されるものである。
【００２１】
なお、受入溝２０についても、縦／横で区別したい場合には、枠と同様に、縦溝２１／横溝２２とする。また、受入溝２０についても枠本体１０と同様に、例えば縦溝２１を更に左と右（左辺と右辺）に区別することができ、横溝２２も更に上と下（上辺と下辺）に区別することができるが、特に符号などは付さないものである。
また本実施例では、枠本体１０が矩形環状であり、受入溝２０がこれに沿って巡回状に形成されることから、受入溝２０も巡回部２０Ｓの四隅、つまり接続部１０Ｊで屈曲状に形成されるものである。また、この四隅（接続部１０Ｊ）では、受入溝２０が十字状に形成されるため、この十字状部分つまり縦溝２１と横溝２２との交差部分も屈曲状に形成されるものであり、このような屈曲部には、例えば上記図２（ｂ）に示すように、上面部分にコーナＲが形成されることが好ましい。これにより、屈曲部（屈曲状に形成される受入溝２０）に押さえ部材３０を曲げながら嵌め込む作業が極めて行い易くなり、また刺繍用基布Ｃを枠本体１０に対し、より確実に且つ強固に張設することができるものである。
【００２２】
また、刺繍用枠１の上面側には、例えば上記図１に示すように、飾り縁５０が被せられる（取り付けられる）ことがあり、これは枠本体１０に刺繍用基布Ｃを張設した状態では、外部に押さえ部材３０が露見するため、これを覆い隠すためである。なお、このような飾り縁５０は、刺繍を終えた後の刺繍用基布Ｃ（作品）を、枠本体１０に張設したまま展示する場合に特に適するものである（これについては後述する）。
ここで、上記図１では、飾り縁５０が、枠本体１０の上面及び外側面を覆い隠すように、断面Ｌ字状の枠部材として図示しているが、飾り縁５０の主目的は、枠本体１０に嵌め込まれた押さえ部材３０を露見させないことであるため、飾り縁５０は必ずしもこの断面形状に限定されるものではない。
【００２３】
また、枠本体１０には、例えば上記図１に示すように、枠本体１０に張設された刺繍用基布Ｃを適宜の高さや姿勢に維持するための支持脚４０を設けることが好ましい（言わば刺繍用台としての形態）。これは（枠本体１０に支持脚４０を設け、刺繍用基布Ｃを適宜の高さや姿勢に維持するのは）、張設後の刺繍用基布Ｃの下方から光を採り込み、刺繍を行う際に刺繍用基布Ｃに刺す針の位置を見易くするためである（刺繍作業の向上）。もちろん、刺繍用基布Ｃの織目が粗い場合や素材自体が透過素材であれば、刺繍用基布Ｃを適宜の高さや姿勢に維持することで、より一層、刺繍の行い易さは向上するものである。
なお支持脚４０の枠本体１０への一般的な取り付け方としては、例えば図１の部分図に示すように、予め枠本体１０の下面（ここでは四隅）に鬼目ナット４０Ｎ（メネジブロック）を埋設しておくとともに、これに螺合する雄ネジ４０Ｂを支持脚４０の頭部に突設しておくものであり、装着するには支持脚４０を回転させながら雄ネジ４０Ｂを枠本体１０の鬼目ナット４０Ｎにねじ込むことで取り付け得るものである。
【００２４】
また、このような支持脚４０も展示利用に寄与し得るため、以下これについて説明する。
例えば図１４（ｅ）に示すように、支持脚４０の一部が部分的に小径となるように形成しておき（ここを小径部４１とする）、この小径部４１を展示室壁面に設けた断面Ｌ字状のアングル材などに引っ掛けて刺繍用枠１つまり刺繍を終えた刺繍用基布Ｃ（作品）を固定すれば、多数の作品があっても、全ての角度が容易に且つ一様に揃えられ、多数の作品展示が能率的に行えるものである。因みに、小径部４１の形成にあたっては、支持脚４０を部分的に切り欠く手法以外にも考えられ、例えば支持脚４０に短寸の脚座部４２を螺合により継ぎ足せるようにしておき、この支持脚４０と短寸の脚座部４２との間にクリアラスを設けることで、上記小径部４１を確保することが可能である。
【００２５】
次に、刺繍用基布Ｃ（端縁）を押さえ部材３０とともに受入溝２０に嵌め込み、刺繍用基布Ｃを枠本体１０に張設する態様について説明する。ここで上記図１では、枠本体１０（受入溝２０）が、四つの枠部材つまり左辺１１Ｌ、右辺１１Ｒ、上辺１２Ｕ、下辺１２Ｄで形成されており、各辺に一本ずつの押さえ部材３０を嵌め込んでいるが（計四本の押さえ部材３０を使用）、以下の説明では二本の押さえ部材３０を使用して刺繍用基布Ｃを枠本体１０に張設する態様について説明する。なお、この場合、一本の押さえ部材３０の長さは、少なくとも「受入溝２０（巡回部２０Ｓ）の長さの半分」以上とするものである。
因みに、押さえ部材３０を受入溝２０に嵌め込むにあたっては、例えば図１５に示すような嵌め込み器具Ｔを用いることが好ましく、これは通常の網戸張り替え用の器具であり、グリップの一方の先端部に回転自在のローラＲを具えるとともに、もう一端部に押さえ部材３０を受入溝２０に強く押し込むためのヘラＰを具えるものである。ここでヘラＰは、押さえ部材３０の嵌め込み開始端３０Ｓや嵌め込み終了端３０Ｅを受入溝２０に深く押し込む場合や、受入溝２０の屈曲部分で押さえ部材３０を強固に（深く）溝内に押し込む場合等に用いるものである。
【００２６】
刺繍用基布Ｃを枠本体１０に張設するには、まず刺繍用基布Ｃを枠本体１０に被せるものである。この際、刺繍用基布Ｃを枠本体１０の大きさに合わせ、例えば枠本体１０の外形程度に予めカットしておけば、刺繍用基布Ｃの端縁を枠本体１０に固定した後、刺繍用基布Ｃの縁をカットする必要がなく合理的である。しかしながら、刺繍用基布Ｃは、例えば押さえ部材３０を受入溝２０に嵌め込む際に一緒に溝内に引きずり込まれるため、この移動量（ズレ）が見込み難い場合などには、刺繍用基布Ｃを枠本体１０の外形よりも一回り大きなサイズにしておいても構わない。もちろん、ここでの刺繍用基布Ｃのサイズ（一回り大きなサイズ）とは、押さえ部材３０の受入溝２０への嵌め込み作業が阻害されない程度の大きさにとどめるものである。
【００２７】
その後、上述した嵌め込み器具Ｔ（主にローラＲ）を使って押さえ部材３０を受入溝２０に嵌め込んで行くものである。ここで図３（ａ）に示す実施例では、下辺１２Ｄ（横枠１２）から押さえ部材３０を嵌め込んで行くものであり、より詳細には、下辺１２Ｄの左側から右側に押さえ部材３０を嵌め込んでいる。
なお、押さえ部材３０を受入溝２０に嵌め込んで行く際には、上述したように刺繍用基布Ｃも受入溝２０内に一緒に引きずり込まれて行くため、刺繍用基布Ｃ自体が多少移動する。このため、この嵌め込み作業においては、刺繍用基布Ｃを枠本体１０にクリップ等で挟み付け、刺繍用基布Ｃの位置決め、特にここでは刺繍用基布Ｃの下側の端縁の位置決めを行いながら押さえ部材３０を嵌め込んで行くことが好ましい。
【００２８】
このようにして下辺１２Ｄ（横枠１２）のみに押さえ部材３０を嵌め込んだら、この状態で当該押さえ部材３０の嵌め込み作業を一時中断する。このため、当該押さえ部材３０は、後半部分が右辺１１Ｒ（受入溝２０）に収まる長さ分ほど余ることになる。
また、図３（ａ）では、下辺１２Ｄに嵌め込む押さえ部材３０の嵌め込み開始端３０Ｓを、まず左辺１１Ｌ下部の枠外開放部２０Ｐに嵌め込み、この状態から押さえ部材３０をほぼ９０度曲げるようにして下辺１２Ｄの受入溝２０（左から右）に嵌め込んで行っており、これは下辺１２Ｄに押さえ部材３０を嵌め込む際に、押さえ部材３０が受入溝２０に沿って移動してしまうことを防止するためである。しかしながら、押さえ部材３０の嵌め込み開始端３０Ｓを、真っ直ぐに受入溝２０に嵌めておいても、このような移動の心配がない場合には、押さえ部材３０の嵌め込み開始端３０Ｓは、図３（ａ′）に示すように、下辺１２Ｄ左部の枠外開放部２０Ｐに嵌めておいても構わない。因みに、この嵌め込み開始端３０Ｓは、例えば押さえ部材３０を下辺１２Ｄの右端まで嵌め込み終わった段階で、本図３（ａ′）に矢印で示すように、左辺１１Ｌ下部の枠外開放部２０Ｐに嵌め替えることが好ましい。
【００２９】
次に、この状態で、一例として図４（ａ）に示すように、もう一本の別の押さえ部材３０を上辺１２Ｕ（横枠１２）に嵌め込んで行くものであり、ここでは上辺１２Ｕの右側から左側に押さえ部材３０を嵌め込んでいる。なお、上辺１２Ｕに押さえ部材３０を嵌め込んで行く際には、既に下辺１２Ｄに嵌め込んだ押さえ部材３０が受入溝２０から浮き上がってこない程度に、刺繍用基布Ｃを上辺１２Ｕの外方側に引っ張って（テンションを掛けて）、押さえ部材３０を嵌め込んで行くことが好ましい。
また、ここでも押さえ部材３０の嵌め込み開始端３０Ｓは、当初、上辺１２Ｕ右部の枠外開放部２０Ｐに真っ直ぐに嵌めておき、後で右辺１１Ｒ上部の枠外開放部２０Ｐに嵌め替えることが可能である。
【００３０】
このように本実施例では、下辺１２Ｄに押さえ部材３０を嵌め込んだら、これに対向する上辺１２Ｕに押さえ部材３０を嵌め込んで行くものであり、対向する辺同士を一対のペアとして交互に押さえ部材３０を嵌め込んで行くものである。これは押さえ部材３０を受入溝２０に嵌め込むに従い、刺繍用基布Ｃも受入溝２０内に引きずり込まれ、刺繍用基布Ｃ上にテンションが作用するためである。すなわち、対向する辺同士を一対のペアとして、交互に押さえ部材３０を嵌め込んで行く方が、刺繍用基布Ｃに掛かるテンションのバランスが採り易く、またその後に行う残余の対辺同士への嵌め込みも行い易くなり、結果として刺繍用基布Ｃを全体的に均等に張ることができるためである。もちろん、このような点から言えば、上辺１２Ｕに押さえ部材３０を嵌め込んでから、下辺１２Ｄに押さえ部材３０を嵌め込んで行くことも、対向する辺同士を一対のペアとして交互に押さえ部材３０を嵌め込んで行く形態となる。
また本実施例では、縦枠１１よりも横枠１２の方が長かったため、長辺である横枠１２（下辺１２Ｄ）から押さえ部材３０を嵌め込んで行ったが、最初に左辺１１Ｌに押さえ部材３０を嵌め込んだ場合には、次に右辺１１Ｒに押さえ部材３０を嵌め込んで行くことが、対向する辺同士を一対のペアとして交互に押さえ部材３０を嵌め込んで行く形態となり好ましい。なお、対向する辺同士を一対のペアとして交互に押さえ部材３０を嵌め込んで行くことが望ましいのは、例えば図５（ｂ）に示すように、押さえ部材３０を四本用いて、各辺に一本ずつの押さえ部材３０を嵌め込んで行く場合にも共通する思想である。
【００３１】
このようにして下辺１２Ｄに対向する上辺１２Ｕに押さえ部材３０の前半部分を嵌め込んだら、今度は例えば図４（ｂ）に示すように、この押さえ部材３０の後半部分を、引き続き、左辺１１Ｌに向かうコーナに押し込み（嵌め込み）、更にここから左辺１１Ｌの下側（下辺１２Ｄに嵌めた最初の押さえ部材３０の嵌め込み開始端３０Ｓ）に向かうように受入溝２０に嵌め込んで行くものである。ここで、左辺１１Ｌに嵌めた押さえ部材３０の嵌め込み終了端３０Ｅは、同図４（ｂ）に示すように、左辺１１Ｌの受入溝２０（巡回部２０Ｓ）からほぼ９０度曲げて、下辺１２Ｄ左部の枠外開放部２０Ｐに押し込むことが好ましい。
【００３２】
その後、下辺１２Ｄに前半部分のみを嵌めておいた押さえ部材３０を、右辺１１Ｒに嵌め込んで行く。具体的には、図４（ｂ）から図５（ａ）に示すように、まず押さえ部材３０における、下辺１２Ｄ右部の枠外開放部２０Ｐに嵌めていた部位のみを、一旦ここから外し、右辺１１Ｒに向かうコーナに嵌め替え、続いてここから右辺１１Ｒの上側（上辺１２Ｕに嵌めた二本目の押さえ部材３０の嵌め込み開始端３０Ｓ）に向かうように受入溝２０に嵌め込んで行くものである。
なお、ここでも当該押さえ部材３０の嵌め込み終了端３０Ｅは、図５（ａ）に示すように、右辺１１Ｒの受入溝２０（巡回部２０Ｓ）からほぼ９０度曲げて、上辺１２Ｕ右部の枠外開放部２０Ｐに嵌め込むことが好ましい。
このように、本実施例では、押さえ部材３０の嵌め込み開始端３０Ｓ及び終了端３０Ｅとを９０度曲げて枠外開放部２０Ｐに嵌め込むものであり、これにより刺繍用基布Ｃの全外周縁を強固に固定でき、且つ刺繍用基布Ｃを均一に張設することができるものである。また、このために強固な張設力が継続し、刺繍作業中等に刺繍用基布Ｃが弛むこともほとんどないものである。
【００３３】
このようにして、刺繍用基布Ｃの外周端縁を枠本体１０に固定したら、枠本体１０（枠外開放部２０Ｐ）から外に飛び出た押さえ部材３０（余剰部分）をカッターなどで切断する。この際、押さえ部材３０は、受入溝２０（枠外開放部２０Ｐ）に嵌め込まれた部分が、この溝によって半円筒状に強固に保持された状態となっている（断面としては約半周程度の保持）。このため枠からはみ出た余剰部分の切断においては、例えばカッターの刃を枠本体１０の端面に沿って移動させるのみで、押さえ部材３０を枠本体１０の端面に合わせて綺麗に切断でき、その後に取り付け得る飾り縁５０もスムーズに嵌めることができるものである。
なお、刺繍用基布Ｃが枠本体１０の外形よりも一回り大きい場合には、この段階で刺繍用基布Ｃを枠本体１０の外形に合わせてカットすることができる。もちろん、上述したように、当初の段階で刺繍用基布Ｃが、枠本体１０の外形程度にカットされていれば、この段階でのカットは省略することができる。
【００３４】
以上述べた態様が、二本の押さえ部材３０を枠本体１０に嵌め込んで行く好ましい態様であるが、押さえ部材３０の数は、上述したように辺の数と同数でも構わない。具体的には、例えば図５（ｂ）に示すように、押さえ部材３０を四本とし、各辺に一本ずつの押さえ部材３０を嵌め込んで行くことが可能である。ただし、このような場合であっても、上述したように対向する辺同士を一対のペアとして交互に押さえ部材３０を嵌め込んで行くことが望ましく、同図５（ｂ）中に記載した「１ｓｔ」〜「４ｔｈ」は、このような押さえ部材３０の好ましい嵌め込み順序の一例を示したものである。
なお、押さえ部材３０の嵌め込み開始端３０Ｓ及び終了端３０Ｅは、必ずしも全ての端部を９０度折り曲げて枠外開放部２０Ｐに収める必要はなく、押さえ部材３０を受入溝２０に対しほぼ真っ直ぐに嵌め込んでも刺繍用基布Ｃが強固に張設でき、またその強さが維持できる場合には、同図５（ｂ）の部分図に併せ示すように、押さえ部材３０のいずれか一方の端部を９０度曲げないようにすることも可能であるし、押さえ部材３０の全ての端部を受入溝２０に対しほぼ真っ直ぐに嵌め込むことも可能である。
【００３５】
〔他の実施例〕
本発明は以上述べた実施例を一つの基本的な技術思想とするものであるが、更に次のような改変が考えられる。
まず、先に述べた基本の実施例では、枠本体１０の四隅が枠の外側に突出するものではなかったが、例えば図６に示すように、枠本体１０の四隅が枠外まで突出し、井桁状に形成されても構わないものである。
【００３６】
また、基本の実施例では、枠本体１０に形成される受入溝２０は、縦枠１１と横枠１２との接続部１０Ｊにおいて枠外開放部２０Ｐを有する形状、つまり接続部１０Ｊで枠外まで到達するように形成されたが、例えば図７に示すものは、接続部１０Ｊで枠外まで貫通しないように、言わば通常の網戸の溝のように巡回部２０Ｓのみで受入溝２０を形成した形態であり、これは本発明に関連する参考例である。
ただし、例えば図７の部分図に示すように、縦溝２１または横溝２２のうちいずれか一方を接続部１０Ｊにおいて枠外まで貫通させた場合には、本発明に包含される改変例となる（図７の部分図では右辺１１Ｒに形成される縦溝２１のみ枠外まで貫通させ、当該部位を枠外開放部２０Ｐとしている）。因みに、このような受入溝２０の形成態様は、図５（ｂ）の部分図に示した押さえ部材３０の嵌め込み方（収め方）に適する態様となる。
【００３７】
また、上述した基本の実施例では、枠本体１０の平面視形状として主に矩形環状のものを示したが、枠本体１０としては上述したように円環状や楕円環状等の平面視形状も考えられ、この場合にも、受入溝２０は枠外まで貫通させること、つまり枠外開放部２０Ｐを形成することが可能である。具体的には、例えば図８（ａ）に示すように、枠本体１０が円環状の場合、枠本体１０や受入溝２０を長さ方向に等分し（ここでは四等分）、その一つひとつを辺（枠を構成するパート）と考えて、その接続部１０Ｊを枠外二方向に貫通させ得るものである。
これを踏まえると受入溝２０は、複数のパート（直線状または曲線状の辺）から成ると捉えることができ、これら各パートを周回状もしくは循環状に接続することにより、枠本体１０に沿う巡回部２０Ｓを構成するものと言え、また受入溝２０は、各パートの接続部１０Ｊにおいて受入溝２０（巡回部２０Ｓ）を枠外二方向に貫通させるように形成すると言える。これにより（受入溝２０を接続部１０Ｊで枠外二方向に貫通させることにより）、押さえ部材３０を複数本（例えば辺の数と同数）に分けて刺繍用基布Ｃを張設し易く、また押さえ部材３０の嵌め込み開始端３０Ｓ及び終了端３０Ｅを巡回部２０Ｓから屈曲状に曲げて枠外開放部２０Ｐに固定することができ、刺繍用基布Ｃを枠本体１０に対し強固に且つ均一に張設することができるものである。更に、このような形態であれば、枠本体１０から飛び出た押さえ部材３０を切断するにあたっても、枠本体１０の端部や外形を切断時のガイドとしてカッターの刃を移動させればよく、枠本体１０の外形に沿った綺麗な切断が行え、その後に取り付け得る飾り縁５０もスムーズに嵌めることができるものである。
なお、図８（ｂ）に示すものは、円環状の枠本体１０に対し、二本の押さえ部材３０で刺繍用基布Ｃを張設した例であり、図８（ｃ）に示すものは、パート（辺）の数と同数の四本の押さえ部材３０で刺繍用基布Ｃを張設した一例である。因みに、本図８（ｃ）中の「１ｓｔ」〜「４ｔｈ」という記載も、このような押さえ部材３０の好ましい嵌め込み順序の一例を示したものである。
【００３８】
また、対向する辺同士を一対のペアとして交互に押さえ部材３０を嵌め込んで行くには（このような嵌め方を厳密に行うには）、辺（パート）の数は偶数が好ましいが、必ずしもこれに限定されるものではなく、辺（パート）の数は奇数でも構わない。すなわち、例えば円環状の枠本体１０（受入溝２０の巡回部２０Ｓ）を幾つかのパートに区分するには、１２０度ずつ三等分するよりは、９０度ずつ四等分した方が、刺繍用基布Ｃを均一に張設する上でも、その作業性の観点からも望ましい。しかしながら、辺の分割数や枠本体１０のサイズ等によっては、枠本体１０を７２度ずつ五等分しても、あるいは４０度ずつ九等分しても良く、このような場合には、必ずしも１８０度対向した辺同士を一対のペアと考えるのではなく、ほぼ反対側に位置する辺を対向位置と捉え、これらの辺に押さえ部材３０を交互に嵌め込んで行けば良いものである（本明細書ではこのような嵌め込み方も「（ほぼ）対向する辺同士を一対のペアとして交互に押さえ部材を嵌め込んで行く」手法に包含されるものである）。具体的には、例えば図９に示すように、枠本体１０が正九角形の環状である場合、まず本図中の「１ｓｔ」の辺（パート）に押さえ部材３０を嵌め込み、次いで「１ｓｔ」のほぼ対向位置となる「２ｎｄ」の辺に押さえ部材３０を嵌め込んで行き、次いで「３ｒｄ」の辺に押さえ部材３０を嵌め込んで行くものであり、その後はこのような嵌め込み方を「４ｔｈ」、「５ｔｈ」、「６ｔｈ」、「７ｔｈ」、「８ｔｈ」、「９ｔｈ」と繰り返して行くものである。
【００３９】
また刺繍用基布Ｃを枠本体１０に被せ、最初に押さえ部材３０を受入溝２０に嵌め込んで行く際には、上述したように、刺繍用基布Ｃも多少受入溝２０内に引きずり込まれて行くため、最初に被せた位置から幾らか移動してしまうものであり、これが張設後に刺繍用基布Ｃの織目位置のズレとなって生じ得るものである。このため枠本体１０には、例えば図１０に示すように、凸状の仮押さえ部１５を形成しておくことが好ましく、このような仮押さえ部１５に刺繍用基布Ｃの端縁を巻き付けるようにした後、クリップＣＬ等で挟み付けてから、受入溝２０に押さえ部材３０を嵌め込んで行けば、上記のようなズレが防止できるものである。
なお、このような仮押さえ部１５は、必ずしも枠本体１０の全周に形成する必要はなく、例えば最初に押さえ部材３０を嵌め込んで行く辺（パート）に形成するだけでも構わない。
【００４０】
また上述した基本の実施例では、主に枠本体１０の上面（刺繍作業中は作業者の対向正面となり、展示の際には観賞者の対向正面となる面）に受入溝２０を形成する例を示したが、受入溝２０は、必ずしも枠本体１０の上面に形成される必要はなく、例えば図１１に示すように、枠本体１０の外側面部分に巡回状に形成することも可能である。
【００４１】
また上述した基本の実施例では、枠本体１０（刺繍用枠１）の大きさの相違（サイズ違い）について特に言及していないが、複数の刺繍作業を並行して行いたい場合などは想定され得ることであり、そのような場合には複数の枠本体１０に個々に刺繍用基布Ｃを張設する必要がある。このような場合、例えば図１２に示すように、大小異なるサイズの枠本体１０を入れ子状になるように形成しておけば、例えば作業途中（刺繍途中）の枠本体１０を保管して置く際、大きなサイズの枠本体１０の内側に小さなサイズの枠本体１０を収容することができコンパクトに収納できるものである。なお、本図１２では、大小二つの枠本体１０は、いずれも同じ形状・構成のものを示したが、例えば大きなサイズの枠本体１０のみ図６で示した井桁状に形成したり、小さなサイズの枠本体１０のみ図１１で示したように受入溝２０を枠本体１０の外側面部分に形成する等のバリエーション展開は種々考えられる。
【００４２】
また受入溝２０は、通常、断面視での大きさ（押さえ部材３０を受け入れるサイズ）を、一周全て均一にするのが一般的であるが（例えば網戸の溝など）、本発明ではこの溝サイズを部分的に変更することが可能であり、例えば押さえ部材３０の嵌め込みを開始する部分のみ溝サイズを大きく形成しておくと、作業開始が極めて容易となる。すなわち（このようなことを考慮するのは）、刺繍は女性が行うことが多く、従って刺繍用基布Ｃを張設する作業つまり押さえ部材３０を嵌める作業も必然的に女性が行うことが多く、このため当該作業をより一層容易に行うためには、極力、作業開始がやり易く、作業自体も極めて簡単であることが望まれるためである。
また、このようなことから、例えば二本の押さえ部材３０を用いて刺繍用基布Ｃを枠本体１０に固定する際、嵌め込み開始端３０Ｓを各辺（各パート）の中央部に位置させたい場合、つまり押さえ部材３０を各辺の中央部から嵌め込み始める場合等には、各辺の中央部分の溝サイズを他の部位（各辺の両端付近や接続部１０Ｊ）に比べて多少大きめに形成しておくことが好ましい。
【００４３】
また上述した基本の実施例では、基本的に刺繍用基布Ｃの全外周縁（四辺）を枠本体１０に固定するように説明したが、刺繍用基布Ｃの張設にあたっては、必ずしもこれに限定されるものではない。すなわち、例えば刺繍用基布Ｃの全外周縁（四辺）を枠本体１０に固定すると、刺繍可能領域が小さくなり過ぎてしまう場合等には、全四辺のうちの三辺のみ、あるいは対向する二辺のみを枠本体１０に固定して刺繍を行うことも可能である。もちろん、刺繍可能領域を広げるという点では、当初は刺繍用基布Ｃの全外周縁（四辺）を枠本体１０に固定しておき、必要なときだけ該当部分（辺）の固定を解除して（つまり押さえ部材３０を取り外して）、拡張した領域に刺繍を行うことも可能である。因みに、このような場合（受入溝２０に嵌め込んでおいた押さえ部材３０を部分的に取り外して、溝内に入り込んでいた刺繍用基布Ｃを受入溝２０から取り出して刺繍を行う場合）には、例えば各辺に一本ずつの押さえ部材３０を嵌め込んで刺繍用基布Ｃを張設するなど、押さえ部材３０を複数本に分けておき、部分的な固定解除を容易にすることが好ましい。
なお、刺繍用基布Ｃの全外周縁を固定しなくても刺繍が行える（刺繍用基布Ｃの四辺のうち最低二辺を固定すればよい）という点では、もともと枠本体１０の内側開口部よりも小さいサイズの刺繍用基布Ｃを用いることも可能である。
【００４４】
また、上述した基本の実施例では、枠外開放部２０Ｐについては、枠本体１０に沿って形成される受入溝２０（巡回部２０Ｓ）を接続部１０Ｊでそのまま枠外まで到達させ（例えば枠外二方向に貫通させ）、これを枠外開放部２０Ｐとする形態を主として説明した。この場合、当然ながら枠外開放部２０Ｐは、巡回部２０Ｓと同じ形状（溝状）に形成される。しかしながら、枠外開放部２０Ｐは、必ずしも巡回部２０Ｓと同じ溝状に形成する必要はなく、例えば図１３（ａ）に示すように、巡回部２０Ｓのコーナ部（特に本図では左辺１１Ｌ及び右辺１１Ｒの上下両端）を切り欠いて平滑状に形成し、この平滑面を枠外開放部２０Ｐとすることも可能である。因みに、ここでは本図（ｂ）の斜視図に示すように、巡回部２０Ｓの底部（溝底）とほぼ同じ深さ（高さ）で枠本体１０を平滑状に切り欠いて枠外開放部２０Ｐを形成している。
【００４５】
なお、巡回部２０Ｓのコーナ部に、このような平滑状の枠外開放部２０Ｐを形成するのは、当該枠外開放部２０Ｐが存在しない受入溝２０の場合（巡回部２０Ｓのみで受入溝２０を構成した場合）には、巡回部２０Ｓのコーナ部に押さえ部材３０を嵌め込む作業が、押さえ部材３０を曲げながら（変形させながら）溝内に深く押し込む作業となるため、比較的強い力が必要であり、特に女性が当該作業を行うにはやりづらいためである。
因みに、巡回部２０Ｓのコーナ部に、このような偏平状の枠外開放部２０Ｐを形成する形態は、押さえ部材３０が当該コーナ部で途切れずに、一続きとなって回り込むような収まりが好ましいので、押さえ部材３０の嵌め込み開始端３０Ｓ及び終了端３０Ｅがコーナ部に位置する場合には、該コーナ部に必ずしも枠外開放部２０Ｐを形成する必要はない（必ずしも全てのコーナ部に偏平状の枠外開放部２０Ｐを形成する必要はない）。
また、偏平状の枠外開放部２０Ｐがコーナ部での押さえ部材３０の収まり（嵌め込み易さ）を意図したものであることを考慮すれば、受入溝２０（巡回部２０Ｓ）のコーナ部に形成する枠外開放部２０Ｐは、例えば本図（ｃ）の斜視図に示すように、上辺１２Ｕ及び下辺１２Ｄの左右両端を切り欠いて平滑状に形成しても構わないし、本図（ｂ）・（ｃ）の切欠き面を双方合わせて、より大きな平滑面（枠外開放部２０Ｐ）とすることも可能である。
【００４６】
また上述した基本の実施例では、枠本体１０に四本の支持脚４０を設け、枠本体１０をある一定の高さでほぼ水平に維持する、言わばテーブルや台としての形態を図示したが、支持脚４０の数は必ずしも四本に限定されるものではなく、例えば図１４（ａ）に示すように、横枠１２の上辺１２Ｕに二本の支持脚４０を設けるとともに、もう一方の下辺１２Ｄ中央部に支持脚４０を一本設けることも可能である。これも言わば枠本体１０をテーブル状とする形態ではあるが、この場合例えば作業者は、刺繍作業中、下辺１２Ｄに設けた一本の支持脚４０の両脇に脚部を位置させることができ、作業者としては楽な姿勢で、なお且つ枠本体１０（刺繍用枠１）を安定させた状態で作業が行えるものである。
また図１４（ｂ）に示す枠本体１０は、上辺１２Ｕに二本の支持脚４０を設けただけの実施例であり、通常の状態では、刺繍用基布Ｃの張設面が傾斜状態に設定される。ただし、この枠本体１０は、張設された刺繍用基布Ｃ（被刺繍面）が、刺繍を行う作業者の対向正面に、より近づくため、作業者にとっては被刺繍面（刺繍領域）が見易く、作業性が向上するものである。また、本図１４（ｂ）に示す枠本体１０（上辺１２Ｕに二本の支持脚４０を設けただけの形態）は、例えば図１４（ｅ）に示すように、枠本体１０を展示に利用する際にも観賞者の対向正面に、より近づくため、観賞し易いものとなる。
また図１４（ｃ）に示す枠本体１０は、上辺１２Ｕに支持脚４０を一本だけ設けた実施例であり、枠本体１０の自立安定性としては低いかも知れないが、基本的には図１４（ｂ）と同様の作用・効果を狙ったものである。因みに、本実施例では、例えば作業者が枠本体１０の下辺１２Ｄ側を自らの脚部などに載せて刺繍作業を行うことができるものである。
【００４７】
更に、上述した基本の実施例や上記図１４（ａ）〜（ｃ）に示す支持脚４０は、いずれも枠本体１０とは別体で形成され、必要に応じて枠本体１０にネジ止め（螺合）等によって装着する形態となるが、例えば図１４（ｄ）に示すように、支持脚４０は枠本体１０に対して回動自在に取り付けておくことも可能であり（いわゆる折り畳み式）、枠本体１０を適宜の高さや角度で保持したい場合に、支持脚４０を折り畳み状態から展開させて用いるものである。なお、このような折り畳み式の支持脚４０としては、必ずしも矩形板状の左右一体式のものである必要はなく、例えば本図中に二点鎖線で示すように、左右別々の支持脚４０として形成しても良いし、これらを部分的に連結しても構わない。
また図１４（ｅ）に示す実施例は、上述したように、このような支持脚４０を展示に利用した場合を図示したものであり、例えば支持脚４０の一部に形成した小径部４１を展示室壁面に固定した断面Ｌ字状のアングル材などに引っ掛けて、刺繍を終えた刺繍用基布Ｃ（作品）を設置する（飾る）ものであり、これにより多くの作品の角度を容易に且つ一様に揃えることができ、多数の作品展示が極めて容易に行えるものである。
【符号の説明】
【００４８】
１        刺繍用枠
１０      枠本体
２０      受入溝
３０      押さえ部材
４０      支持脚
５０      飾り縁
１０      枠本体
１０Ｊ    接続部
１１      縦枠
１１Ｌ    左辺
１１Ｒ    右辺
１２      横枠
１２Ｕ    上辺
１２Ｄ    下辺
１５      仮押さえ部
２０      受入溝
２０Ｓ    巡回部
２０Ｐ    枠外開放部
２１      縦溝
２２      横溝
３０      押さえ部材
３０Ｓ    嵌め込み開始端
３０Ｅ    嵌め込み終了端
４０      支持脚
４０Ｂ    雄ネジ
４０Ｎ    鬼目ナット
４１      小径部
４２      脚座部
Ｃ        刺繍用基布
ＣＬ      クリップ
Ｔ        嵌め込み器具
Ｒ        ローラ
Ｐ        ヘラ
【図１】
0006018793.tif 000002
【図２】
0006018793.tif 000003
【図３】
0006018793.tif 000004
【図４】
0006018793.tif 000005
【図５】
0006018793.tif 000006
【図６】
0006018793.tif 000007
【図７】
0006018793.tif 000008
【図８】
0006018793.tif 000009
【図９】
0006018793.tif 000010
【図１０】
0006018793.tif 000011
【図１１】
0006018793.tif 000012
【図１２】
0006018793.tif 000013
【図１３】
0006018793.tif 000014
【図１４】
0006018793.tif 000015
【図１５】
0006018793.tif 000016